(57)【要約】【課題】洗剤収容容器の手指挿入用開口部を目立たなくして、外観を向上し得る洗濯機を提供することを課題とする。【解決手段】本体部１に引き出し可能に格納される洗剤収容容器６を備え、本体部１の前面上部に下方になるに従って前面側に突出する傾斜面１ｂを形成し、傾斜面１ｂの下端部から本体部１前面１ａに向かって傾斜する後方傾斜面１ｃを形成し、傾斜面１ｂに操作部４と表示部５と洗剤収容容器６を配設し、洗剤収容容器６には、傾斜面１ｂを構成する前面板２を設け、前面板２と本体部１の前面１ａとの間に洗剤収容容器６引出し用の手指挿入用開口部６ａを形成する。【選択図】図１
2016158739.tif 000002
【特許請求の範囲】
【請求項１】
水槽を内蔵する本体部と、
前記本体部に引き出し可能に格納される洗剤収容容器とを備え、
前記本体部の前面上部には、下方になるに従って前方側に突出する傾斜面を形成し、
前記傾斜面の下端部から前記本体部前面に向かって傾斜する後方傾斜面を形成し、
前記傾斜面に操作部と表示部と前記洗剤収容容器を配設し、
前記洗剤収容容器には、前記傾斜面を構成する前面板を設け、
前記前面板と前記本体部の前面との間に前記洗剤収容容器の引出し用の手指挿入用開口部を形成したことを特徴とする洗濯機。
【請求項２】
前記洗剤収容容器には、前記前面板より前記本体部側に側壁部を形成し、
前記本体部には、前記側壁部を案内する案内部を前方になるに従って下方に傾斜して形成したことを特徴とする請求項１に記載の洗濯機。
【発明の詳細な説明】
【技術分野】
【０００１】
本発明は、洗剤を投入する洗剤収容容器を備えた洗濯機に関するものである。
【背景技術】
【０００２】
洗濯機には、洗剤を投入する洗剤収容容器が備えられている。一般的に、洗剤収容容器の前面は、洗濯機の前面と同一面となるように形成され、洗濯機前面の外郭を構成している。洗剤収容容器には、前面に洗剤収容容器を引き出すための手指挿入用開口部が形成されている（例えば、特許文献１を参照）。
【先行技術文献】
【特許文献】
【０００３】
【特許文献１】特開２０１０−１０４７７５号公報
【発明の概要】
【発明が解決しようとする課題】
【０００４】
しかしながら、洗剤収容容器の手指挿入用開口部は、洗濯機前面の外郭を構成する洗剤収容容器の前面に形成されているため、外観が悪い問題があった。
【０００５】
本発明は、上記従来の課題を解決するためになされたもので、洗剤収容容器の手指挿入用開口部を目立たなくして、外観を向上し得る洗濯機を提供することを課題とする。
【課題を解決するための手段】
【０００６】
上記課題を解決するために、本発明の洗濯機は、水槽を内蔵する本体部と、前記本体部に引き出し可能に格納される洗剤収容容器とを備え、前記本体部の前面上部には、下方になるに従って前方側に突出する傾斜面を形成し、前記傾斜面の下端部から前記本体部前面に向かって傾斜する後方傾斜面を形成し、前記傾斜面に操作部と表示部と前記洗剤収容容器を配設し、前記洗剤収容容器には、前記傾斜面を構成する前面板を設け、前記前面板と前記本体部の前面との間に前記洗剤収容容器の引出し用の手指挿入用開口部を形成したものである。
【発明の効果】
【０００７】
本発明によれば、手指挿入用開口部を外観上目立たなくすることができ、外観を向上することができる。
【図面の簡単な説明】
【０００８】
【図１】本発明の実施の形態における洗濯機の外観を示す斜視図
【図２】本発明の実施の形態における洗濯機の側面図
【図３】本発明の実施の形態における洗濯機の概略縦断面図
【図４】本発明の実施の形態における洗剤収容容器近傍の縦断面図
【発明を実施するための形態】
【０００９】
第１の発明は、水槽を内蔵する本体部と、前記本体部に引き出し可能に格納される洗剤収容容器とを備え、前記本体部の前面上部には、下方になるに従って前方側に突出する傾斜面を形成し、前記傾斜面の下端部から前記本体部前面に向かって傾斜する後方傾斜面を形成し、前記傾斜面に操作部と表示部と前記洗剤収容容器を配設し、前記洗剤収容容器には、前記傾斜面を構成する前面板を設け、前記前面板と前記本体部の前面との間に前記洗剤収容容器の引出し用の手指挿入用開口部を形成したものである。
【００１０】
この構成により、手指挿入用開口部を外観上目立たなくすることができ、洗濯機の外観を向上することができる。洗剤収容容器の前面板下端部が本体部前面より前方に位置し、前面板下端部と本体部前面との間にて指挿入用開口部を形成しているので、手指挿入用開口部にて指を挿入し易くすることができる。
【００１１】
第２の発明は、特に、第１の発明において、前記洗剤収容容器には、前記前面板より前記本体部側に側壁部を形成し、前記本体部には、前記側壁部を案内する案内部を前方になるに従って下方に傾斜して形成したものである。
【００１２】
この構成により、手指挿入用開口部に手指を挿入する際に、手指が本体部前面に引っかかるのを抑制することができ、手指挿入用開口部への手指の挿入性を向上することができる。
【００１３】
以下、本発明の実施の形態について、図面を参照しながら説明する。なお、この実施の形態によって本発明が限定されるものではない。
【００１４】
図１は、本発明の実施の形態におけるドラム式洗濯機の外観を示す斜視図である。図２は、本実施の形態におけるドラム式洗濯機の側面図である。図３は、本発明の実施の形態におけるドラム式洗濯機の概略縦断面図である。図４は、本発明の実施の形態における洗剤収容容器近傍の縦断面図である。
【００１５】
図１に示すように、本実施の形態のドラム式洗濯機は、全体構成として、略箱状の本体部１と、本体部１の前面１ａに本体部１に対して開閉自在に設けられた扉体３とを備えている。本体部１の前面１ａ上部には、下方になるに従って前方側に突出する傾斜面１ｂを備えている。傾斜面１ｂには、操作部４と、操作部４に隣接して配置される表示部５と、表示部５に隣接して格納部（図示せず）に出し入れ可能に格納される洗剤収容容器６とが設けられている。
【００１６】
傾斜面１ｂの下端部からは、本体部１前面１ａに向かって漸次後方側に傾斜する後方傾斜面１ｃが形成されており、洗剤収容容器６は、後方傾斜面１ｃに対応する位置に手指挿入用開口部６ａを形成している。
【００１７】
本体部１へ衣類を投入、或いは本体部１から衣類を取り出すときには、扉体３を開いて行う。また、粉末洗剤や液体洗剤や液体仕上剤などを洗剤収容容器６内に投入する際は、本体部１から洗剤収容容器６を引き出して行う。粉末洗剤等を洗剤収容容器６に投入した後は、洗剤収容容器６を押し込んで本体部１内に収納する。操作部４を操作することで本体部１に電源が投入でき、また、洗いやすすぎなど、各種洗濯コースも選択できる。その選択結果や選択した洗濯コースが完了するまでの時間情報、各種洗濯行程進行状況、洗濯完了情報等が表示部５に表示される。
【００１８】
次に、本体部１が有する各構成要素について説明する。
【００１９】
図２に示すように、本体部１には投入口７が設けられ、本体部１内には、環状パッキン８、回転ドラム１０、水槽１１、モータ１２が収容されている。
【００２０】
投入口７は、本体部１の前面１ａ側に形成され、扉体３により開閉自在に閉塞され、扉体３を開放することにより、投入口７より衣類の出し入れができるようになっている。
【００２１】
環状パッキン８は、投入口７と水槽１１との間に配置される。投入口７と水槽１１との
間の隙間に、衣類が嵌入したり、洗濯水が脱落することを防止する。
【００２２】
回転ドラム１０は、有底円筒形に形成され、外周部に多数の通水孔１４が設けられ、本体部１内に揺動自在に支持された水槽１１内に回転自在に配設されている。回転ドラム１０の軸心方向は正面側から背面側に向けて下向きに傾斜させている。回転ドラム１０の軸心方向は、必ずしも傾斜させなくてもよい。回転ドラム１０の通水孔１４は、水槽１１内の洗濯水が回転ドラム１０の内外に通過できるようになっている。
【００２３】
モータ１２は、水槽１１の背面側に取り付けており、水槽１１内の回転ドラム１０を正転、逆転方向に回転駆動する。なお、モータ１２は、機械的動力伝達手段（チェーンやベルト等）を介して回転ドラム１０を回転駆動させてもよい。
【００２４】
回転ドラム１０の内壁面には、突起部１３ａ、１３ｂが複数設けられている。この突起部１３ａ、１３ｂは、回転ドラム１０を低速で回転させることにより、衣類を突起部１３ａ、１３ｂで引っ掛けて上方に持ち上げた後、適当な高さで落下させるといった撹拌動作（タンブリング動作）を与えることにより、衣類の撹拌たたき洗い、および乾燥動作などを行なう。
【００２５】
また、水槽１１の下方に配置されたダンパー１５および水槽１１の上方に配置されたばね体１６により、本体部１に対して水槽１１が揺動自在に防振支持されている。
【００２６】
水槽１１の背面側の下部には取水口１７が設けられ、取水口１７は、排水弁１８を介して配水管１９を経由して排水ポンプ２０に接続されている。排水ポンプ２０の動作により水槽１１内の洗濯水を本体部１の外部に排水する。また、取水口１７は、循環ポンプ２１を介して循環経路２２を経由して出水口２３に接続されている。循環ポンプ２１の動作により、取水口１７から吸い込まれた洗濯水が出水口２３から回転ドラム１０内の洗濯物に向けて噴射され、洗濯物に洗濯水を含ませる。なお、すすぎ行程の場合は、洗剤を含まない水を出水口２３から噴射し、洗濯物に含まれる洗剤液を除去するすすぎ効果を高める。
【００２７】
水槽１１の上部側には、給水器２５と、洗剤容器部２６とが配置され、水槽１１の下部側には、プリント基板から構成され制御回路を有する制御部２７が配置されている。洗剤容器部２６は、洗剤収容容器６と、給水部材３０と、送水部材３１と、接続管部材３２と、から構成される。
【００２８】
給水部材３０には、水道蛇口に接続される給水器（図示せず）が接続されている。送水部材３１は、給水部材３０の下方に設けられており、洗剤収容容器６を引き出し可能に保持している。
【００２９】
接続管部材３２は、一端が送水部材３１に接続され、他端は水槽１１に接続される。洗剤収容容器６は、本体部１に対して引き出し可能であり、図３には、本体部１の前方方向に引き出した状態を２点鎖線で示している。洗剤収容容器６が本体部１前方に引き出された状態では、洗剤収容容器６内に粉末洗剤等が投入できるようになっている。
【００３０】
次に、図４を用いて、洗剤収容容器６の近傍について詳述する。洗剤収容容器６は、本体部１前面の外観を構成する前面板２と、粉末洗剤や液体洗剤、液体仕上剤が投入される洗剤容器部２６とから構成されている。
【００３１】
洗剤収容容器６を本体部１に格納した状態で、前面板２が本体部１の傾斜面１ｂの一部を構成する。前面板２の下端部が傾斜面１ｂの下端部に位置し、前面板２の下端部と本体部１の前面１ａとの間の後方傾斜面１ｃに該当する部分に手指挿入用開口部６ａが形成さ
れる。
【００３２】
前面板２の洗剤容器部２６側には、略水平に上部リブ２ａと下部リブ２ｂが形成され、下部リブ２ｂの洗剤容器部２６側端部から下方に向かって略垂直に側壁部２ｃが形成されている。側壁部２ｃには、洗剤容器部２６に向かって係合爪２ｄが突出形成されており、上部リブ２ａ端部と係合爪２ｄを洗剤容器部２６に位置決め係合することにより洗剤容器部２６の前面側に前面板２が一体的に固定される。なお、上部リブ２ａと係合爪２ｄは複数個所に形成している。
【００３３】
前面板２と下部リブ２ｂと側壁部２ｃにより囲繞される空間に取っ手部２ｅを形成している。取っ手部２ｅの下方位置には、本体部１の構成部品により側壁部２ｃの下端部を案内する第１案内部１ｄが形成されており、第１案内部１ｄは、本体部１の前面１ａ側になるに従って漸次低くなるように傾斜して形成されている。
【００３４】
第１案内部１ｄの本体部１側には、第１案内部１ｄに連続して略水平面となる第２案内部１ｅが形成されている。第２案内部１ｅは、洗剤収容容器６の本体部１への格納状態で側壁部２ｃが第２案内部１ｅ上に位置するように構成され、本体部１への格納状態の側壁部２ｃより少許前方側まで延設して形成している。第２案内部１ｅが側壁部２ｃより前方まで延設して形成しているので、取っ手部２ｅに手指を挿入する際に、側壁部２ｃ下端部に指先が引っかかるのを抑制できる。なお、第１案内部１ｄは、平面で形成された傾斜面に限定するものではなく、例えば、デザイン的に処理された曲面であってもよい。
【００３５】
上記構成の洗濯機において、洗剤収容容器６内に粉末洗剤や液体洗剤、液体仕上剤を投入する際には、洗剤収容容器６と本体部１前面１ａとの間の手指挿入用開口部６ａから取っ手部２ｅに手指を挿入する。手指を前面板２の裏面側に掛けて前方に引くことで洗剤収容容器６が本体部１から引き出される。洗剤収容容器６を本体部１から引き出した状態で、洗濯物の量や材質等に応じて粉末洗剤や液体洗剤、液体仕上剤を洗剤容器部２６内に投入する。
【００３６】
洗剤容器部２６への粉末洗剤等の投入後、洗剤収容容器６の前面板２を本体部１側へ押すことで洗剤収容容器６を本体部１へ格納できる。洗剤収容容器６の本体部１への格納状態では、前面板２の上面と上部リブ２ａとの間に形成したボス２ｆが本体部１前面に当接し、本体部１前面と前面板２上面との間に少許の間隙を生じさせる。ボス２ｆを本体部１前面に当接させることにより、前面板２上面と本体部１前面との間の隙間が異常に変化するのを抑制することができ、不均一な隙間が生じることによって美観が損なわれるのを抑制することができる。また、ボス２ｆは、前面板２上面近傍に形成しているので、前面板２上面と本体部１前面との隙間が不均一になるのを抑制することができる。なお、ボス２ｆは、複数個所に形成することによって、前面板２上面と本体部１前面との隙間が均一になるように構成している。
【００３７】
洗剤収容容器６を格納する際には、側壁部２ｃの下端部が案内部１ｄによって案内されるので、スムーズに洗剤収容容器６を移動させることができる。
【００３８】
本体部１前面１ａ上部に下方になるに従って前方に突出する傾斜面１ｂを形成し、傾斜面１ｂに操作部４及び表示部５を配設しているので、操作部４及び表示部５が見やすくなり、操作性および視認性を向上することが可能となる。
【００３９】
本体部１前面１ａ上部に傾斜面１ｂを形成し、傾斜面１ｂの下方の後方傾斜面１ｃに対応する位置に、洗剤収容容器６の手指挿入用開口部６ａを設けているので、手指挿入用開口部６ａを外観上目立たなくすることができ、外観を向上することが可能となる。
【００４０】
洗剤収容容器６の前面板２は、傾斜面１ｂと同一面に形成し、前面板２の下端部が本体部１前面１ａより前方に位置しているので、手指挿入用開口部６ａを広く構成することができる。また、手指挿入用開口部６ａの下方位置の案内部１ｄは、下方に向かって傾斜しているので、手指挿入用開口部６ａを広く形成することができる。これらにより、手指挿入用開口部６ａを広く構成することができるので、手指挿入用開口部への手指の挿入作業性を向上することができる。
【００４１】
洗剤収容容器６の前面板２は、傾斜面１ｂと同一面に形成し、前面板２の下端部が本体部１前面１ａより前方に位置しているので、手指挿入用開口部６ａに挿入する際に、手指が本体部１前面１ａに引っかかるのを抑制でき、操作性を向上することができる。
【００４２】
なお、本実施の形態は、ドラム式洗濯機を例にとり説明したが、縦型洗濯機に採用することもできる。
【産業上の利用可能性】
【００４３】
本発明に係る洗濯機は、洗剤収容容器の手指挿入用開口部を外観上目立たなくして、美観を向上することができ、粉末洗剤が投入可能な他の洗濯機にも適用できる。
【符号の説明】
【００４４】
１  本体部
１ａ  前面
１ｂ  傾斜面
１ｃ  後方傾斜面
１ｄ  案内部
２  前面板
２ａ  上部リブ
２ｂ  下部リブ
２ｃ  側壁部
２ｄ  係合爪
２ｅ  取っ手部
３  扉体
４  操作部
５  表示部
６  洗剤収容容器
６ａ  手指挿入用開口部
２６  洗剤容器部
【図１】
2016158739.tif 000003
【図２】
2016158739.tif 000004
【図３】
2016158739.tif 000005
【図４】
2016158739.tif 000006